(57)【要約】【課題】  携帯端末で撮影した画像を用いて効率よく販促資料を作成することが可能な仕組みを提供すること【解決手段】  携帯端末にあらかじめ販促資料のテンプレートとなる情報を識別する情報をもっておき、当該識別情報と商品情報とを複合機に送信する。複合機では、識別情報から特定されるテンプレートに対して受信した商品情報を付加することで販促資料を作成し、印刷を行う。【選択図】  図１
2013085083.tif 000002
【特許請求の範囲】
【請求項１】
携帯端末と画像形成装置とが通信可能に接続され、販売促進用印刷物の作成をする情報処理システムであって、
前記携帯端末は、
前記販売促進用印刷物に用いる商品画像を撮影する撮影手段と、
前記撮影手段により撮影された商品画像を前記画像形成装置に送信する画像送信手段と、
販売促進用印刷物のレイアウトを示す情報を記憶するレイアウト情報記憶手段と、
前記レイアウト情報記憶手段に記憶されたレイアウト情報と、前記販売促進用印刷物に用いる商品画像を識別する情報とを対応付けて前記画像形成装置に送信する印刷物作成データ送信手段と、
を備え、
前記画像形成装置は、
前記携帯端末の画像送信手段から送信された商品画像を受信する画像受信手段と、
前記携帯端末の印刷物作成データ送信手段から送信された印刷物作成データを受信する印刷物作成データ受信手段と、
前記印刷物作成データ受信手段により受信したデータに基づき、販売促進用印刷物のレイアウトを特定するレイアウト特定手段と、
前記印刷物作成データ受信手段により受信したデータに基づき、前記画像受信手段で受信した商品画像から前記販売促進用印刷物に用いる商品画像を特定する商品画像特定手段と、
前記レイアウト特定手段により特定されたレイアウトと、前記商品画像特定手段により特定された商品画像を用いて、販売促進用印刷物を印刷する印刷手段と、
を備えることを特徴とする情報処理システム。
【請求項２】
携帯端末から送信される商品画像を受信する画像受信手段と、前記携帯端末から送信される印刷物作成データを受信する印刷物作成データ受信手段と、前記印刷物作成データ受信手段により受信したデータに基づき、販売促進用印刷物のレイアウトを特定するレイアウト特定手段と、前記印刷物作成データ受信手段により受信したデータに基づき、前記画像受信手段で受信した商品画像から前記販売促進用印刷物に用いる商品画像を特定する商品画像特定手段と、前記レイアウト特定手段により特定されたレイアウトと、前記商品画像特定手段により特定された商品画像を用いて、販売促進用印刷物を印刷する印刷手段と、を備える画像形成装置と通信可能な携帯端末であって、
前記販売促進用印刷物に用いる商品画像を撮影する撮影手段と、
前記撮影手段により撮影された商品画像を前記画像形成装置に送信する画像送信手段と、
販売促進用印刷物のレイアウトを示す情報を記憶するレイアウト情報記憶手段と、
前記レイアウト情報記憶手段に記憶されたレイアウト情報と、前記販売促進用印刷物に用いる商品画像を識別する情報とを対応付けて前記画像形成装置に送信する印刷物作成データ送信手段と、
を備えることを特徴とする携帯端末。
【請求項３】
携帯端末から送信される商品画像を受信する画像受信手段と、前記携帯端末から送信される印刷物作成データを受信する印刷物作成データ受信手段と、前記印刷物作成データ受信手段により受信したデータに基づき、販売促進用印刷物のレイアウトを特定するレイアウト特定手段と、前記印刷物作成データ受信手段により受信したデータに基づき、前記画像受信手段で受信した商品画像から前記販売促進用印刷物に用いる商品画像を特定する商品画像特定手段と、前記レイアウト特定手段により特定されたレイアウトと、前記商品画像特定手段により特定された商品画像を用いて、販売促進用印刷物を印刷する印刷手段と、を備える画像形成装置と通信可能であり、販売促進用印刷物のレイアウトを示す情報を記憶する携帯端末における情報処理方法であって、
前記携帯端末の撮影手段が、前記販売促進用印刷物に用いる商品画像を撮影する撮影工程と、
前記携帯端末の画像送信手段が、前記撮影工程により撮影された商品画像を前記画像形成装置に送信する画像送信工程と、
前記携帯端末の印刷物作成データ送信手段が、前記記憶されたレイアウト情報と、前記販売促進用印刷物に用いる商品画像を識別する情報とを対応付けて前記画像形成装置に送信する印刷物作成データ送信工程と、
を備えることを特徴とする情報処理方法。
【請求項４】
携帯端末から送信される商品画像を受信する画像受信手段と、前記携帯端末から送信される印刷物作成データを受信する印刷物作成データ受信手段と、前記印刷物作成データ受信手段により受信したデータに基づき、販売促進用印刷物のレイアウトを特定するレイアウト特定手段と、前記印刷物作成データ受信手段により受信したデータに基づき、前記画像受信手段で受信した商品画像から前記販売促進用印刷物に用いる商品画像を特定する商品画像特定手段と、前記レイアウト特定手段により特定されたレイアウトと、前記商品画像特定手段により特定された商品画像を用いて、販売促進用印刷物を印刷する印刷手段と、を備える画像形成装置と通信可能であり、販売促進用印刷物のレイアウトを示す情報を記憶する携帯端末において実行されるプログラムであって、
前記携帯端末を、
前記販売促進用印刷物に用いる商品画像を撮影する撮影手段と、
前記撮影手段により撮影された商品画像を前記画像形成装置に送信する画像送信手段と、
前記レイアウト情報記憶手段に記憶されたレイアウト情報と、前記販売促進用印刷物に用いる商品画像を識別する情報とを対応付けて前記画像形成装置に送信する印刷物作成データ送信手段として機能させることを特徴とするプログラム。
【発明の詳細な説明】
【技術分野】
【０００１】
本発明は、携帯端末を用いて販促資料を作成する際の技術に関する。
【背景技術】
【０００２】
食料品の販売店などにおいては、タイムセールや複数の商品をセットにする等、通常よりも価格を下げて商品の販売をすることがある。この場合、通常よりも安いことをアピールし顧客の注目を集めるために、商品の写真や価格が印刷された販促資料（ＰＯＰ）を作成している。
【０００３】
このような販促資料については、商品の画像をカメラで撮影し、ＰＣ等を使って撮影した写真と価格やキャッチコピーなどを組み合わせて作成している。そして、作成されたデータを複合機などで印刷している。
【０００４】
販促資料を効率的に作成するための技術が、特許文献１に記載されている。特許文献１に記載の仕組みは、入力される印刷データに基づいて用紙フォーマットを特定し、広告内容情報を当該用紙フォーマット上に適宜データサイズを調整して展開編集することで商品毎の編集データを作成し、当該編集データを対象商品毎に特定した用紙で印刷させる構成をとる。
【先行技術文献】
【特許文献】
【０００５】
【特許文献１】特開２００２−４６３１３号公報
【発明の開示】
【発明が解決しようとする課題】
【０００６】
しかしながら、特許文献１のシステムにおいても、販促資料のデータ（広告内容情報）については、ＰＣ等を用いて作成する構成である。
【０００７】
携帯端末にはカメラ機能や通信機能が備わっているため、販促資料を作成する際にも実際の商品を携帯端末のカメラで撮影し、その画像を販促資料に活用するといった使い方がなされる。その際には、例えば特許文献１に記載の構成では、携帯端末から販促資料を作成するためのＰＣ等に画像データを取り込むことが必要となるため、煩雑である。
【０００８】
また、実際に店舗の売り場の状況を見て、その場で販促資料を作る必要が生じた場合にも、ＰＣ等で作成する場合にはその場での作成ができず不便である。
【０００９】
そこで本発明は、携帯端末で撮影した画像を用いて効率よく販促資料を作成することが可能な仕組みを提供することを目的とする。
【課題を解決するための手段】
【００１０】
本発明は、携帯端末と画像形成装置とが通信可能に接続され、販売促進用印刷物の作成をする情報処理システムであって、前記携帯端末は、前記販売促進用印刷物に用いる商品画像を撮影する撮影手段と、前記撮影手段により撮影された商品画像を前記画像形成装置に送信する画像送信手段と、販売促進用印刷物のレイアウトを示す情報を記憶するレイアウト情報記憶手段と、前記レイアウト情報記憶手段に記憶されたレイアウト情報と、前記販売促進用印刷物に用いる商品画像を識別する情報とを対応付けて前記画像形成装置に送信する印刷物作成データ送信手段と、を備え、前記画像形成装置は、前記携帯端末の画像送信手段から送信された商品画像を受信する画像受信手段と、前記携帯端末の印刷物作成データ送信手段から送信された印刷物作成データを受信する印刷物作成データ受信手段と、前記印刷物作成データ受信手段により受信したデータに基づき、販売促進用印刷物のレイアウトを特定するレイアウト特定手段と、前記印刷物作成データ受信手段により受信したデータに基づき、前記画像受信手段で受信した商品画像から前記販売促進用印刷物に用いる商品画像を特定する商品画像特定手段と、前記レイアウト特定手段により特定されたレイアウトと、前記商品画像特定手段により特定された商品画像を用いて、販売促進用印刷物を印刷する印刷手段と、を備えることを特徴とする。
【００１１】
また、本発明は、携帯端末から送信される商品画像を受信する画像受信手段と、前記携帯端末から送信される印刷物作成データを受信する印刷物作成データ受信手段と、前記印刷物作成データ受信手段により受信したデータに基づき、販売促進用印刷物のレイアウトを特定するレイアウト特定手段と、前記印刷物作成データ受信手段により受信したデータに基づき、前記画像受信手段で受信した商品画像から前記販売促進用印刷物に用いる商品画像を特定する商品画像特定手段と、前記レイアウト特定手段により特定されたレイアウトと、前記商品画像特定手段により特定された商品画像を用いて、販売促進用印刷物を印刷する印刷手段と、を備える画像形成装置と通信可能な携帯端末であって、前記販売促進用印刷物に用いる商品画像を撮影する撮影手段と、前記撮影手段により撮影された商品画像を前記画像形成装置に送信する画像送信手段と、販売促進用印刷物のレイアウトを示す情報を記憶するレイアウト情報記憶手段と、前記レイアウト情報記憶手段に記憶されたレイアウト情報と、前記販売促進用印刷物に用いる商品画像を識別する情報とを対応付けて前記画像形成装置に送信する印刷物作成データ送信手段と、を備えることを特徴とする。
【００１２】
また、本発明は、携帯端末から送信される商品画像を受信する画像受信手段と、前記携帯端末から送信される印刷物作成データを受信する印刷物作成データ受信手段と、前記印刷物作成データ受信手段により受信したデータに基づき、販売促進用印刷物のレイアウトを特定するレイアウト特定手段と、前記印刷物作成データ受信手段により受信したデータに基づき、前記画像受信手段で受信した商品画像から前記販売促進用印刷物に用いる商品画像を特定する商品画像特定手段と、前記レイアウト特定手段により特定されたレイアウトと、前記商品画像特定手段により特定された商品画像を用いて、販売促進用印刷物を印刷する印刷手段と、を備える画像形成装置と通信可能であり、販売促進用印刷物のレイアウトを示す情報を記憶する携帯端末における情報処理方法であって、前記携帯端末の撮影手段が、前記販売促進用印刷物に用いる商品画像を撮影する撮影工程と、前記携帯端末の画像送信手段が、前記撮影工程により撮影された商品画像を前記画像形成装置に送信する画像送信工程と、前記携帯端末の印刷物作成データ送信手段が、前記記憶されたレイアウト情報と、前記販売促進用印刷物に用いる商品画像を識別する情報とを対応付けて前記画像形成装置に送信する印刷物作成データ送信工程と、を備えることを特徴とする。
【００１３】
また、本発明は、携帯端末から送信される商品画像を受信する画像受信手段と、前記携帯端末から送信される印刷物作成データを受信する印刷物作成データ受信手段と、前記印刷物作成データ受信手段により受信したデータに基づき、販売促進用印刷物のレイアウトを特定するレイアウト特定手段と、前記印刷物作成データ受信手段により受信したデータに基づき、前記画像受信手段で受信した商品画像から前記販売促進用印刷物に用いる商品画像を特定する商品画像特定手段と、前記レイアウト特定手段により特定されたレイアウトと、前記商品画像特定手段により特定された商品画像を用いて、販売促進用印刷物を印刷する印刷手段と、を備える画像形成装置と通信可能であり、販売促進用印刷物のレイアウトを示す情報を記憶する携帯端末において実行されるプログラムであって、前記携帯端末を、前記販売促進用印刷物に用いる商品画像を撮影する撮影手段と、前記撮影手段により撮影された商品画像を前記画像形成装置に送信する画像送信手段と、前記レイアウト情報記憶手段に記憶されたレイアウト情報と、前記販売促進用印刷物に用いる商品画像を識別する情報とを対応付けて前記画像形成装置に送信する印刷物作成データ送信手段として機能させることを特徴とする。
【発明の効果】
【００１４】
本発明によれば、携帯端末で撮影した画像を用いた販促資料を効率よく作成することが可能となる。
【図面の簡単な説明】
【００１５】
【図１】本発明の情報処理システムの構成の一例を示す図である
【図２】図１の携帯端末１０１に適用可能なハードウエア構成の一例を示す図である
【図３】図１の画像形成装置１０２に適用可能なハードウエア構成の一例を示す図である
【図４】携帯端末１０１が実行するメニュー処理を示すフローチャートである
【図５】携帯端末１０１が実行するＰＯＰ画像撮影処理を示すフローチャートである
【図６】携帯端末１０１が実行するＰＯＰ画像撮影処理を示すフローチャートである
【図７】携帯端末１０１が実行する商品選択処理を示すフローチャートである
【図８】携帯端末１０１が実行するＰＯＰ印刷処理を示すフローチャートである
【図９】携帯端末１０１が実行する通常ＰＯＰ印刷処理を示すフローチャートである
【図１０】携帯端末１０１が実行する通常ＰＯＰ印刷処理を示すフローチャートである
【図１１】携帯端末１０１が実行する営業店ＰＯＰ印刷処理を示すフローチャートである
【図１２】携帯端末１０１が実行する営業店ＰＯＰ印刷処理を示すフローチャートである
【図１３】携帯端末１０１が実行する商品検索処理を示すフローチャートである
【図１４】携帯端末１０１が実行するＰＯＰ画像送信処理を示すフローチャートである
【図１５】画像形成装置１０２が実行する印刷処理を示すフローチャートである
【図１６】ＰＯＰ画像撮影処理において携帯端末１０１に表示される画面の遷移を示す図である
【図１７】ＰＯＰ印刷処理において携帯端末１０１に表示される画面の遷移を示す図である
【図１８】ＰＯＰ画像送信処理において携帯端末１０１に表示される画面の遷移を示す図である
【図１９】商品テーブルの一例を示す図である
【図２０】ＪＡＮコードテーブルの一例を示す図である
【図２１】標準ＰＯＰテーブルの一例を示す図である
【図２２】通常ＰＯＰ印刷時の通常ＰＯＰを選択するための情報が登録されているテーブルの一例を示す図である
【図２３】営業店ＰＯＰ印刷時の営業店ＰＯＰを選択するための情報が登録されているテーブルである
【図２４】コメントテーブルの一例を示す図である
【図２５】システムコントロールファイルの一例を示す図である
【図２６】ＰＯＰ画像テーブルの一例を示す図である
【発明を実施するための形態】
【００１６】
以下、図面を参照して本発明の実施形態を詳細に説明する。
【００１７】
図１は、本発明に係る情報処理システムのシステム構成の一例を示す図である。
【００１８】
図１に示すように、本実施形態に係る情報処理システムは、携帯端末１０１と画像形成装置（複合機）１０２が通信可能に接続されている。
【００１９】
以下、本発明の情報処理システムを構成する各装置について説明する。
【００２０】
以下、図２を用いて、図１に示した携帯端末１０１に適用可能なハードウエア構成の一例について説明する。
【００２１】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な各種プログラム等が記憶されている。
【００２２】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００２３】
また、２０５は入力コントローラで、入力装置２０９等からの入力を制御する。２０６はビデオコントローラで、液晶ディスプレイ等のディスプレイ装置２１０への表示を制御する。なお、ディスプレイ装置は、液晶ディスプレイに限られず、ＣＲＴディスプレイなどであっても良い。これらは必要に応じてクライアントが使用するものである。
【００２４】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２５】
２０８は通信Ｉ／Ｆコントローラで、ネットワーク（例えば、図１に示したＬＡＮ４００）を介して外部機器と接続・通信するものであり、ネットワークでの通信制御処理を実行する。例えば、ＴＣＰ／ＩＰを用いた通信等が可能である。
【００２６】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００２７】
ハードウエア上で動作する各種プログラムは、外部メモリ２１１に記録されており、必要に応じてＲＡＭ２０２にロードされることによりＣＰＵ２０１によって実行されるものである。
【００２８】
プリンタコントローラ２１２は、サーマルドットライン方式プリンタ２１３等の印刷機を制御する。
【００２９】
スキャナコントローラ２１４は、スキャナ２１５等の識別器を制御する。
【００３０】
なお、全ての装置がこれらの構成を備えているわけではなく、必要なものを夫々備えていればよい。
【００３１】
次に、図３を用いて、本発明の複合機（画像形成装置）２００を制御するコントローラユニットのハードウエア構成について説明する。
【００３２】
図３は、複合機２００のコントローラユニット５０００のハードウエア構成例を示すブロック図である。
【００３３】
図３において、コントローラユニット５０００は、画像入力デバイスとして機能するスキャナ５０１５や、画像出力デバイスとして機能するプリンタ５０１４と接続されるとともに、図１に示したＬＡＮ４００のようなローカルエリアネットワークや、例えばＰＳＴＮまたはＩＳＤＮ等の公衆回線（ＷＡＮ）と接続することで、画像データやデバイス情報の入出力を行なう。
【００３４】
図３に示すように、コントローラユニット５０００は、ＣＰＵ５００１、ＲＡＭ５００６、ＲＯＭ５００２、外部記憶装置（ハードディスクドライブ（ＨＤＤ））５００７、ネットワークインタフェース（Ｎｅｔｗｏｒｋ  Ｉ／Ｆ）５００３、モデム（Ｍｏｄｅｍ）５００４、操作部インタフェース（操作部Ｉ／Ｆ）５００５、外部インタフェース（外部Ｉ／Ｆ）５００９、イメージバスインタフェース（ＩＭＡＧＥ  ＢＵＳ  Ｉ／Ｆ）５００８、ラスタイメージプロセッサ（ＲＩＰ）５０１０、プリンタインタフェース（プリンタＩ／Ｆ）５０１１、スキャナインタフェース（スキャナＩ／Ｆ）５０１２、画像処理部５０１３等で構成される。
【００３５】
ＣＰＵ５００１は、システム全体を制御するプロセッサである。
【００３６】
ＲＡＭ５００６は、ＣＰＵ５００１が動作するためのシステムワークメモリであり、プログラムを記録するためのプログラムメモリや、画像データを一時記憶するための画像メモリである。
【００３７】
ＲＯＭ５００２は、システムのブートプログラムや各種制御プログラムが格納されている。
【００３８】
外部記憶装置（ハードディスクドライブＨＤＤ）５００７は、システムを制御するための各種プログラム、画像データ等を格納する。
【００３９】
操作部インタフェース（操作部Ｉ／Ｆ）５００５は、操作部（ＵＩ）５０１８とのインタフェース部であり、操作部５０１８に表示する画像データを操作部５０１８に対して出力する。
【００４０】
また、操作部Ｉ／Ｆ５００５は、操作部５０１８から本システム使用者が入力した情報（例えば、ユーザ情報等）をＣＰＵ５００１に伝える役割をする。なお、操作部５０１８はタッチパネルを有する表示部を備え、該表示部に表示されたボタンを、ユーザが押下（指等でタッチ）することにより、各種指示を行うことができる。
【００４１】
ネットワークインタフェース（Ｎｅｔｗｏｒｋ  Ｉ／Ｆ）５００３は、ネットワーク（ＬＡＮ）に接続し、データの入出力を行なう。
【００４２】
モデム（ＭＯＤＥＭ）５００４は公衆回線に接続し、ＦＡＸの送受信等のデータの入出力を行う。
【００４３】
外部インタフェース（外部Ｉ／Ｆ）５００９は、ＵＳＢ、ＩＥＥＥ１３９４、プリンタポート、ＲＳ−２３２Ｃ等の外部入力を受け付けるインタフェース部であり、本実施形態においては、認証で必要となるＩＣカード読み取り用のカードリーダ３００が接続されている。
【００４４】
そして、ＣＰＵ５００１は、この外部Ｉ／Ｆ５００９を介してカードリーダ３００によるＩＣカードからの情報の読み取りを制御し、該ＩＣカードから読み取られた情報を取得可能である。尚、ＩＣカードに限らず、ユーザを特定することが可能な記憶媒体であればよい。この場合、記憶媒体には、ユーザを識別するための識別情報が記憶される。この識別情報は、記憶媒体の製造番号でも、ユーザが企業内で与えられるユーザコードであってもよい。
以上のデバイスがシステムバス上に配置される。
【００４５】
一方、イメージバスインタフェース（ＩＭＡＧＥ  ＢＵＳ  Ｉ／Ｆ）５００８は、システムバス５０１６と画像データを高速で転送する画像バス５０１７とを接続し、データ構造を変換するバスブリッジである。
【００４６】
画像バス５０１７は、ＰＣＩバスまたはＩＥＥＥ１３９４で構成される。画像バス５０１７上には以下のデバイスが配置される。
【００４７】
ラスタイメージプロセッサ（ＲＩＰ）５０１０は、例えば、ＰＤＬコード等のベクトルデータをビットマップイメージに展開する。
【００４８】
プリンタインタフェース（プリンタＩ／Ｆ）５０１１は、プリンタ５０１４とコントローラユニット５０００を接続し、画像データの同期系／非同期系の変換を行う。
【００４９】
また、スキャナインタフェース（スキャナＩ／Ｆ）５０１２は、スキャナ５０１５とコントローラユニット５０００を接続し、画像データの同期系／非同期系の変換を行う。
【００５０】
画像処理部５０１３は、入力画像データに対し、補正、加工、編集を行ったり、プリント出力画像データに対して、プリンタの補正、解像度変換等を行う。また、これに加えて、画像処理部５０１３は、画像データの回転や、多値画像データに対してはＪＰＥＧ、２値画像データはＪＢＩＧ、ＭＭＲ、ＭＨ等の圧縮伸張処理を行う。
【００５１】
スキャナＩ／Ｆ５０１２に接続されるスキャナ５０１５は、原稿となる紙上の画像を照明し、ＣＣＤラインセンサで走査することで、ラスタイメージデータとして電気信号に変換する。原稿用紙は原稿フィーダのトレイにセットし、装置使用者が操作部５０１８から読み取り起動指示することにより、ＣＰＵ５００１がスキャナに指示を与え、フィーダは原稿用紙を１枚ずつフィードし、原稿画像の読み取り動作を行う。
【００５２】
プリンタＩ／Ｆ５０１１に接続されるプリンタ５０１４は、ラスタイメージデータを用紙上の画像に変換する部分であり、その方式は感光体ドラムや感光体ベルトを用いた電子写真方式、微小ノズルアレイからインクを吐出して用紙上に直接画像を印字するインクジェット方式等があるが、どの方式でも構わない。プリント動作の起動は、ＣＰＵ５００１からの指示によって開始する。尚、プリンタ部５０１４には、異なる用紙サイズまたは異なる用紙向きを選択できるように複数の給紙段を持ち、それに対応した用紙カセットがある。
【００５３】
操作部Ｉ／Ｆ５００５に接続される操作部５０１８は、液晶ディスプレイ（ＬＣＤ）表示部を有する。ＬＣＤ上にはタッチパネルシートが貼られており、システムの操作画面を表示するとともに、表示してあるキーが押されると、その位置情報を操作部Ｉ／Ｆ５００５を介してＣＰＵ５００１に伝える。また、操操作部５０１８は、各種操作キーとして、例えば、スタートキー、ストップキー、ＩＤキー、リセットキー、ログアウトボタン等を備える。
【００５４】
ここで、操操作部５０１８のスタートキーは、原稿画像の読み取り動作を開始する時などに用いる。スタートキーの中央部には、緑と赤の２色のＬＥＤがあり、その色によってスタートキーが使える状態であるか否かを示す。また、操操作部５０１８のストップキーは、稼動中の動作を止める働きをする。また、操操作部５０１８のＩＤキーは、使用者のユーザＩＤを入力する時に用いる。リセットキーは、操操作部５０１８からの設定を初期化する時に用いる。ログアウトボタンは、ユーザが複合機からログアウトする際に押下されるボタンであり、当該ボタンが押下されることで、複合機からのログアウト処理が実行される。
【００５５】
外部Ｉ／Ｆ５００９に接続されるカードリーダ３００は、ＣＰＵ５００１からの制御により、ＩＣカード（例えば、ソニー社のＦｅｌｉＣａ（登録商標））内に記憶されている情報を読み取り、読み取った情報を外部Ｉ／Ｆ５００９を介してＣＰＵ５００１へ通知する。
【００５６】
次に図４を用いて、本発明の実施形態において携帯端末１０１が行うＰＯＰメニュー処理について説明する。
【００５７】
なお、図４のフローチャートで示す処理については、携帯端末１０１のＣＰＵ２０１が所定の制御プログラムを読み出して実行する処理である。
【００５８】
ステップＳ２０１では、携帯端末１０１は、ＰＯＰ作成メニュー画面を表示する。ＰＯＰ作成メニュー画面の一例を図１３のＡに示す。
【００５９】
ステップＳ２０２では、携帯端末１０１は、ユーザによるメニュー選択を受け付ける。
【００６０】
ステップＳ２０３では、携帯端末１０１は、ステップＳ２０２で終了ボタン（１１０４）の押下がされたか否かを判断する。
【００６１】
終了ボタンが押下されたと判断された場合は、本フローチャートに示す処理を終了する。
【００６２】
終了ボタンが押下されていない場合は、処理をステップＳ２０４に移行する。
【００６３】
ステップＳ２０４では、携帯端末１０１は、ステップＳ２０２でＰＯＰ画像撮影ボタン（１１０１）が押下されたか否かを判断する。
【００６４】
ＰＯＰ画像撮影ボタンが押下されたと判断された場合は、処理をステップＳ２０５に移行する。ステップＳ２０５の処理については、図５に示すフローチャートを用いて説明する。
【００６５】
ＰＯＰ画像撮影ボタンが押下されていないと判断された場合は、処理をステップＳ２０６に移行する。
【００６６】
ステップＳ２０６では、携帯端末１０１は、ステップＳ２０２でＰＯＰ印刷ボタン（１１０２）が押下されたか否かを判断する。
【００６７】
ＰＯＰ印刷ボタンが押下された場合は、処理をステップＳ２０７に移行する。ステップＳ２０７の処理については、図７に示すフローチャートを用いて説明する。
【００６８】
ＰＯＰ印刷ボタンが押下されていないと判断された場合（すなわち、ＰＯＰ画像送信ボタン（１１０３）が押下された場合）は、処理をステップＳ２０８に移行する。
【００６９】
ステップＳ２０８の処理については、図１１に示すフローチャートを用いて説明する。
【００７０】
次に図５、図６を用いて、本発明の実施形態において携帯端末１０１が行うＰＯＰ画像撮影処理について説明する。
【００７１】
ステップＳ３０１では、携帯端末１０１は、ＰＯＰ画像撮影メニュー画面（図１３Ｂ）を表示する。
【００７２】
ステップＳ３０２では、携帯端末１０１は、ＰＯＰ画像撮影メニュー画面においてユーザからのメニュー選択を受け付ける。
【００７３】
ステップＳ３０３では、携帯端末１０１は、ステップＳ３０２でユーザから終了ボタン（１１０７）が押下されたか否かを判断する。
【００７４】
終了ボタンが押下された場合は、本フローチャートに示す処理を終了する。
【００７５】
終了ボタンが押下されていない場合は、処理をステップＳ３０４に移行する。
【００７６】
ステップＳ３０４では、携帯端末１０１は、ステップＳ３０２でユーザから戻るボタン（１１０８）が押下されたか否かを判断する。
【００７７】
戻るボタンが押下された場合は、処理をステップＳ２０１に戻す。
【００７８】
戻るボタンが押下されていない場合は、処理をステップＳ３０５に移行し、バーコード有ボタン（１１０５）が押下されたか否かを判断する。
【００７９】
バーコード有ボタンが押下された場合は、処理をステップＳ３０７に移行する。
【００８０】
バーコード有ボタンが押下されなかった場合（すなわちバーコード無ボタン１１０６が押下された場合）は、処理をステップＳ３０６に移行する。
【００８１】
ステップＳ３０６の処理については、図１０に示すフローチャートを用いて説明する。
【００８２】
バーコード有ボタン（１１０５）が押下された場合、バーコード読み込み画面（図１３Ｃ）を表示する（ステップＳ３０７）。また、レーザスキャナを起動する。（ステップＳ３０８）。
【００８３】
レーザスキャナで対象商品のバーコード読み取られると（ステップＳ３０９）、ユーザからの指示（戻るボタン（１１１０）の押下、認識ボタン（１１１１）の押下、終了ボタン（１１１２）の押下のいずれか）を受け付ける。
【００８４】
ステップＳ３１０では、バーコード読み込み画面にて、戻るボタン（１１１０）が押下されたか判断する。
【００８５】
戻るボタン（１１１０）が押下された場合、処理をステップＳ３０１に戻す。
【００８６】
戻るボタン（１１１０）が押下されなかった場合、処理をステップＳ３１１に移行し、終了ボタン（１１１２）が押下されたか判断する。
【００８７】
終了ボタン（１１１２）が押下された場合、本フローチャートに示す処理を終了する。
【００８８】
終了ボタン（１１１２）が押下されなかった場合、認識ボタン（１１１１）が押下されステップＳ３０９で読み込んだバーコードが認識できたかを判断する。（ステップＳ３１２）
【００８９】
バーコードが認識できた場合、携帯端末１０１のＣＰＵがバーコード解析処理を実施し、ＪＡＮコードを取得する。取得したＪＡＮコードよりＪＡＮコードテーブル（図１７）を読み込み、取得したＪＡＮコードにより特定される商品を検索し、商品名を取得する（ステップＳ３１３）。
【００９０】
ステップＳ３１４では、ＰＯＰ画像撮影画面を表示する。そして、ステップＳ３１５では、カメラを起動する。
【００９１】
カメラで対象商品を読み込み、戻るボタン（１１１４）の押下、撮影ボタン（１１１５）の押下、終了ボタン（１１１６）の押下のいずれかを受け付ける（ステップＳ３１６）。
【００９２】
ステップＳ３１７では、ステップＳ３１６で戻るボタン（１１１５）の押下がされたか否かを判断する。
【００９３】
戻るボタン（１１１５）が押下された場合、処理をステップＳ３０７に移行する。
【００９４】
戻るボタン（１１１５）が押下されなかった場合、終了ボタン（１１１６）が押下されたか否かを判断する（ステップＳ３１８）。
【００９５】
終了ボタン（１１１６）が押下された場合、本フローチャートの処理を終了する。
【００９６】
終了ボタンが押下されなかった場合（すなわち撮影ボタンが押下された場合）、撮影処理を実施する（ステップＳ３１９）。
【００９７】
ステップＳ３１９により対象商品を撮影後、撮影した画像を画面（１１１３）に表示し、『この画像を保存しますか？』のメッセージを表示する（ステップＳ３２０）。
【００９８】
ステップＳ３１２では、ユーザからステップＳ３２０で表示した画像を保存するか否かの指示を受け付け、判断する。
【００９９】
保存するとの指示を受け付けた場合は、処理をステップＳ３２２に移行する。
【０１００】
保存しない旨の指示を受け付けた場合は、再度商品を撮影すべく処理をステップＳ３１６に戻す。
【０１０１】
ステップＳ３２２では、システムコントロールファイル（図２２）の営業所コード、ＪＡＮコードテーブル（図１７）、または商品テーブル（図１６）より取得した商品名、撮影年月日時分秒を用いたファイル名により、携帯端末１０１内に画像データを保存する。
【０１０２】
また、ＰＯＰ画像テーブル（図２３）に画像データのファイル名、ＪＡＮコード又は商品コード、送信済フラグを０（未送信）で設定し登録する。
【０１０３】
そして、この保存処理が正常に終了したかを判断する（ステップＳ３２３）。
【０１０４】
画像の保存処理が正常に終了しなかった場合、『保存に失敗しました。』のメッセージを表示し、処理をステップＳ３１４に戻す。
【０１０５】
画像の保存処理が正常に終了した場合、『このファイルをサーバに送信しますか？』のメッセージを表示し、ユーザからの指示を受け付ける（ステップＳ３２５）。
【０１０６】
ステップＳ３２６では、ステップＳ３２５で受け付けた指示を判断する。
【０１０７】
画像を送信しない旨の指示の場合、及び、画像送信に失敗した場合は、『送信に失敗しました。』のメッセージを表示し、処理をステップＳ３１４に戻す（ステップＳ３３０）。
【０１０８】
送信する旨の指示の場合、画像データの保存先（画像形成装置）を商品テーブル、もしくは、ＪＡＮコードテーブルより取得する（ステップＳ３２７）。
【０１０９】
ステップＳ３２８では、携帯端末１０１より無線ＬＡＮ等を介してステップＳ３２７で取得した画像保存先に画像データを保存する。
【０１１０】
ステップＳ３２９では、画像データの送信結果（保存結果）を確認し、正常に保存できた場合は、ＰＯＰ画像テーブル（図２３）の該当のレコードの送信済フラグに対し１（送信済）を設定する（ステップＳ３３１）。
【０１１１】
フラグの設定後、通常ＰＯＰ処理印刷処理（図８に示す処理）から起動されている場合は、通常ＰＯＰ印刷処理（図８）及び通常ＰＯＰ印刷画面（図１４）に戻る（ステップＳ３３２：ＹＥＳ）。
【０１１２】
営業店セットＰＯＰ印刷処理（図９に示す処理）から起動されている場合は、営業店セットＰＯＰ印刷処理（図９のステップＳ７１４）及び営業店セットＰＯＰ印刷画面（図１４）に戻る（ステップＳ３３３：ＹＥＳ）。
【０１１３】
メニュー画面（図１３）から呼び出されている場合（ステップＳ３３２：ＮＯであり、ステップＳ３３３：ＮＯ）は、『送信が完了しました。ＰＯＰ画像撮影を続けますか？』のメッセージを表示する（ステップＳ３３４）。
【０１１４】
ステップＳ３３５では、ユーザからの指示を受け付け、当該指示がＰＯＰ画像撮影を続ける旨の場合（ステップＳ３３５：ＹＥＳ）は、処理をステップＳ３０１に戻す。
【０１１５】
ＰＯＰ画像撮影を続けない場合（ステップＳ３３５：ＮＯ）は、本フローチャートに示す処理を終了する。
【０１１６】
以上の処理により、携帯端末１０１がバーコードから取得した商品について、当該商品のデータを画像形成装置へ送信することが可能となる。
【０１１７】
次に、図７を用いて、本発明の実施形態において携帯端末１０１が行う商品選択処理について説明する。
【０１１８】
この処理は、ＰＯＰ画像撮影処理（図５）でバーコード無の商品を選択する場合（ステップＳ３０５：ＮＯ）に実施される処理である。
【０１１９】
ステップＳ４０１では、商品選択画面（図１３Ｄ）を表示する。
【０１２０】
ステップＳ４０２では、商品テーブル（図１６）より１ページ分の商品コード、商品名を取得し、ステップＳ４０３で画面を表示する。
【０１２１】
ステップＳ４０４では、ステップＳ４０３で表示された画面を介してユーザから戻るボタン（１１１８）が押下されたか否かを判断する。
【０１２２】
戻るボタンが押下された場合は処理をステップＳ３０１に戻す。
【０１２３】
ステップＳ４０５では、終了ボタン（１１２１）が押下されたか否かを判断する。
【０１２４】
終了ボタンが押下された場合は、本フローチャートに示す処理を終了する。
【０１２５】
ステップＳ４０６では、次へボタン（１１２０）が押下されたか否かを判断する。
【０１２６】
次へボタンが押下された場合は、処理をステップＳ４０７に移行する。
【０１２７】
ステップＳ４０７では、商品テーブル（図１６）より次の１ページ分の商品コード、商品名を取得し、商品選択画面（図１３）を表示する。
【０１２８】
ステップＳ４０８では、前へボタン（１１１９）が押下されたか否かを判断する。
【０１２９】
前へボタンが押下された場合は、処理をステップＳ４０９へ移行する。
【０１３０】
ステップＳ４０９では、商品テーブル（図１６）より前の１ページ分の商品コード、商品名を取得し、商品選択画面（図１３）を表示する。
【０１３１】
ステップＳ４１０では、ユーザにより商品一覧（１１１７）から選択された商品の商品コード、商品名を保持し、ＰＯＰ画像撮影画面（図１３Ｅ）を表示する（ステップＳ４１０）。
そして処理をステップＳ３１４に移行する。
【０１３２】
以上の処理により、商品リストから選択された商品に関するデータを画像形成装置に送信することが可能となる。
【０１３３】
次に、図８を用いて、本発明の実施形態において携帯端末１０１が行うＰＯＰ印刷処理について説明する。
【０１３４】
この処理は、ＰＯＰ画像撮影処理（図５）でＰＯＰ印刷ボタンが押下された場合（ステップＳ２０６：ＹＥＳ）に実施される処理である。
【０１３５】
まず、ＰＯＰ作成メニュー画面（図１３Ａ）から、ＰＯＰ印刷メニュー画面（図１４Ａ）が表示される（ステップＳ５０１）。
【０１３６】
そして、ＰＯＰ印刷メニュー画面を介して、ユーザから、通常ＰＯＰ印刷ボタン（１２０１）の押下、営業店セットＰＯＰ印刷ボタン（１２０２）の押下、戻るボタン（１２０３）の押下、終了ボタン（１２０４）の押下のいずれかを受け付ける（ステップＳ５０２）。
【０１３７】
ステップＳ５０３では、ステップＳ５０２で終了ボタンが押下されたか否かを判断する。
【０１３８】
終了ボタン（１２０４）が押下された場合、本フローチャートに示す処理を終了する。
【０１３９】
終了ボタン（１２０４）が押下されなかった場合、戻るボタン（１２０３）が押下されたか否かを判断する（ステップＳ５０４）。
【０１４０】
戻るボタン（１２０３）が押下された場合、処理をステップＳ２０１に戻す。
【０１４１】
戻るボタン（１２０３）が押下されなかった場合、通常ＰＯＰ印刷ボタン（１２０１）が押下されたか判断する（ステップＳ５０５）。
【０１４２】
通常ＰＯＰ印刷ボタン（１２０１）が押下された場合、処理をステップＳ５０６に移行する。ステップＳ５０６に示す通常ＰＯＰ印刷処理については、図８のフローチャートを用いて説明する。
【０１４３】
通常ＰＯＰ印刷ボタン（１２０１）が押下されなかった場合（すなわち営業店セットＰＯＰ印刷ボタン（１２０２）が押下された場合）は、処理をステップＳ５０７に移行する。ステップＳ５０７の処理については、図９のフローチャートを用いて説明する。
【０１４４】
次に、図９を用いて、本発明の実施形態において携帯端末１０１が行う通常ＰＯＰ印刷処理について説明する。なお、この処理は、ステップＳ５０６の処理に該当する。
【０１４５】
ステップＳ６０１では、携帯端末１０１は、通常ＰＯＰ印刷画面（図１４Ｂ）を表示する。
【０１４６】
ステップＳ６０２では、携帯端末１０１は、通常ＰＯＰ印刷画面（図１４）でＰＯＰ＿ＩＤ（１２０５）の選択を受け付ける。ＰＯＰ＿ＩＤ（１２０５）には、ＰＯＰ情報テーブル（図１９）のＰＯＰ＿ＩＤが紐付けられており、プルダウンで一覧が表示され、選択が可能となっている。
【０１４７】
ステップＳ６０３では、携帯端末１０１は、ＰＯＰＩＤの選択を受け付けた後、当該選択されたＰＯＰＩＤ（１２０５）でＰＯＰ情報テーブル（図１９）を読み込み、合致する情報を取得し、通常ＰＯＰ印刷画面（図１４）に各項目を表示する。
【０１４８】
そして、取得したＰＯＰ情報テーブル（図１９）の商品コードよりＪＡＮコードテーブル、もしくは、商品テーブルを読み込み、商品名を通常ＰＯＰ印刷画面（図１４）に表示する（ステップＳ６０４）。
【０１４９】
ステップＳ６０５では、取得した情報を画面に表示した後、当該表示された内容を変更するか否か判断する（ステップＳ６０５）。
【０１５０】
内容の変更をしない場合は、処理をステップＳ６１８に移行する。
【０１５１】
内容の変更をする場合は、コメント（１２０６）を変更するか否かを判断する（ステップＳ６０７）。
【０１５２】
コメント（１２０６）を変更する場合、プルダウンにより変更を受け付ける（ステップＳ６０８）。プルダウンには、コメントテーブル（図２１）に登録されている情報が表示され選択可能となっている。なお、プルダウン形式ではなく、ユーザによる入力によって変更することも可能である。
【０１５３】
ステップＳ６０９では、価格（１２０７）を変更するか否かを判断する。
【０１５４】
価格（１２０７）を変更する場合、価格欄（１２０７）への入力を受け付ける（ステップＳ６１０）。
【０１５５】
ステップＳ６１１では、商品の画像（１２０８）を変更するか否かを判断する。
【０１５６】
商品画像を変更する場合は処理をステップＳ６１２へ移行する。商品画像を変更しない場合は、処理をステップＳ６１８へ移行する。
【０１５７】
ステップＳ６１２では、変更後の画像として既存の画像を用いるか否かを判断する。
【０１５８】
既存の画像を用いる場合は、選択ボタン（１２１０）の押下を受け付ける（ステップＳ６１４）。選択ボタン（１２１０）が押下されると、ＰＯＰ画像テーブル（図２３）が読み込まれ、画像ファイル名を取得し、商品画像一覧として画像選択画面（図１４）に表示される（ステップＳ６１５）。
【０１５９】
使用する画像が選択（１２３３）され（ステップＳ６１６）、終了ボタン（１２３４）が押下されると（ステップＳ６１７）、当該選択された画像のファイル名がＰＯＰに使用する画像としてＰＯＰ印刷画面（図１４）に表示される（ステップＳ６１８）。
【０１６０】
既存の画像を用いない場合は、新規に画像を撮影するか否かを判断する（ステップＳ６１３）。
【０１６１】
新規に画像を撮影する場合は、処理をステップＳ３１４に移行する。
【０１６２】
通常ＰＯＰを印刷する情報（コメント、価格、商品コード、画像ファイル名）が確定したら、自動印刷項目（１２１２）により、ＰＯＰを複合機で自動印刷するか、手動で印刷をかけるかの選択を受け付ける（ステップＳ６１９）。
【０１６３】
通常ＰＯＰ印刷の設定情報に変更があった場合（手動印刷への変更などがあった場合）、変更ボタン（１２１５）の押下を受け付け、ＰＯＰ情報テーブル（図１９）を変更された内容に更新する（ステップＳ６２０、ステップＳ６２１）。
【０１６４】
戻るボタン（１２１３）が押下された場合は、ＰＯＰ印刷メニュー画面（図１４）に戻る（ステップＳ６２２）。
【０１６５】
印刷ボタンが押下された場合（ステップＳ６２３：ＹＥＳ）、ＰＯＰ情報テーブル（図１９）より印刷対象のＰＯＰ情報データを取得し、印刷データファイル（図１９）を作成し、画像形成装置の印刷データ受信フォルダに送信する（ステップＳ６２４）。
そして処理をステップＳ５０１に戻す。
【０１６６】
通常ＰＯＰ印刷処理においては、予め携帯端末１０１内に記憶されているデータを用いてＰＯＰ印刷を行う処理である。すなわち、予め価格や商品などが設定されたＰＯＰデータが携帯端末１０１に記憶されてあり、そのＰＯＰデータを読み出し、変更を受け付けることでＰＯＰを作成する処理である。
【０１６７】
次に、図９を用いて、本発明の実施形態において携帯端末１０１が行う営業点セットＰＯＰ印刷処理について説明する。この処理は、ＰＯＰ印刷メニュー画面（図７）で営業店セットＰＯＰ印刷ボタン（１２０２）押下された場合に実施される処理である。
【０１６８】
ステップＳ７０１では、営業店セットＰＯＰ印刷画面（図１４）を表示する。
【０１６９】
営業店セットＰＯＰ印刷画面（図１４）を介してユーザから標準ＰＯＰ＿ＩＤ（１２１９）の選択を受け付ける（ステップＳ７０２）。標準ＰＯＰ＿ＩＤ（１２１９）には、標準ＰＯＰテーブル（図１８）の標準ＰＯＰＩＤが紐付けられており、プルダウンで一覧が表示され、選択が可能となっている。
【０１７０】
ステップＳ７０３では、コメント（１２２０）の選択を受け付ける。
【０１７１】
コメント（１２２０）を選択する場合、プルダウンにより選択を受け付ける。プルダウンには、コメントテーブル（図２１）に登録されている情報が表示され、選択可能となっている。また、プルダウンからの選択ではなく、ユーザによる入力を受け付けることでコメントを入力するように構成しても良い。
ステップＳ７０４では、価格の入力を受け付ける。
【０１７２】
ステップＳ７０５では、ユーザから商品の選択を受け付けたか否かを判断する。ユーザによる商品の選択については、例えば画面に表示された商品コードが押下されることにより受け付ける。
【０１７３】
商品の選択を受け付けた場合は、処理をステップＳ７０６に移行し、商品検索処理を実行する。なお、商品選択処理については、図１０に示すフローチャートを用いて後述する。
【０１７４】
ステップＳ７０７では、ユーザにより選択ボタンが押下されたか否かを判断する。
【０１７５】
選択ボタンが押下された場合は、処理をステップＳ７０８に移行する。
【０１７６】
ステップＳ７０８では、ＰＯＰ画像テーブル（図２３）が読み込まれ、画像ファイル名を取得し、商品画像一覧として画像選択画面（図１４）を表示する（ステップＳ７０９）。
【０１７７】
ステップＳ７１０で商品画像の選択を受け付けると、ステップＳ７１１で当該選択された商品画像の情報を取得し、ステップＳ７１２では当該取得した情報（商品コード、画像ファイル名）を表示する。
【０１７８】
ステップＳ７１３では、ユーザにより撮影ボタンが押下されたか否かを判断する。
【０１７９】
撮影ボタンが押下された場合は、処理をステップＳ３１４に移行する。
【０１８０】
撮影ボタンが押下されなかった場合は、処理をステップＳ７１５に移行する。
【０１８１】
ステップＳ７１５では、次の商品の入力がされたか否かを判断する。
【０１８２】
次の商品の入力がされた場合は、処理をステップＳ７０５に移行し、当該入力された商品について画像の設定処理を行う。
入力されない場合は、処理をステップＳ７１６に移行する。
【０１８３】
ステップＳ７１６では、自動印刷をするか否かの設定を受け付ける。
【０１８４】
ステップＳ７１７では、登録ボタンが押下されたか否かを判断する。
【０１８５】
登録ボタンが押下されたと判断された場合は、処理をステップＳ７１８に移行する。
【０１８６】
ステップＳ７１８では、ＰＯＰ情報テーブル（図２０）に本フローチャートに示す処理により設定された情報を登録する。
【０１８７】
ステップＳ７１９では、変更ボタンが押下されたか否かを判断する。
【０１８８】
変更ボタンが押下された場合は、処理をステップＳ７２０に移行する。ステップＳ７２０では、ＰＯＰ情報テーブル（図２０）の情報を更新する。
【０１８９】
ステップＳ７２１では、戻るボタンが押下されたか否かを判断する。戻るボタンが押下されたと判断された場合は、処理をステップＳ５０１に戻す。戻るボタンが押下されなかった場合は、処理をステップＳ７２２に移行する。
【０１９０】
ステップＳ７２２では、印刷ボタンが押下されたか否かを判断する。印刷ボタンが押下された場合は、処理をステップＳ７２３に移行する。印刷ボタンが押下されなかった場合は、処理をステップＳ７１７に戻し、再度ユーザからの指示を待つ。
【０１９１】
ステップＳ７２３では、営業店ＰＯＰ情報テーブル（図２０）より該当の営業店ＰＯＰ情報データを取得し、印刷データファイル（図１９）を作成し、画像形成装置の印刷データ受信フォルダに送信する。
【０１９２】
そして、ＰＯＰ印刷メニュー画面を表示して、本フローチャートに示す処理を終了する。
【０１９３】
営業店ＰＯＰ印刷処理においては、図１４Ｃの画面においてユーザがＰＯＰデータを入力することで、ＰＯＰデータを作成する。ユーザにより作成されたＰＯＰデータを用いてＰＯＰを作成する。そして、ユーザが作成されたＰＯＰデータについては、ＰＯＰ情報テーブルに登録することで、その後も同じＰＯＰを作成したい場合に活用可能とする。
【０１９４】
次に図１０を用いて、携帯端末１０１が行う商品検索処理について説明する。商品検索処理については、図９のステップＳ７０６に示す処理である。
ステップＳ８０１では、商品検索画面を表示する。
【０１９５】
ステップＳ８０２では、ステップＳ８０１で表示された検索画面を介して、バーコード有りの商品であるかバーコード無しの商品であるかの選択を受け付ける。
【０１９６】
バーコード有りが選択された場合は、処理をステップＳ８０３に移行する。バーコード無しの商品が選択された場合は、処理をステップＳ８０４に移行する。
【０１９７】
ステップＳ８０３では、バーコード読み込み画面を表示する。そして、ステップＳ８０５でカメラを起動し、ステップＳ８０７でカメラにかざされた対象商品のバーコードを検知する。
【０１９８】
ステップＳ８０９では、ステップＳ８０７で検知したバーコードについて認識ボタンが押下されたか否かを判断する。
【０１９９】
認識ボタンが押下された場合は、処理をステップＳ８１３に移行する。認識ボタンが押下されなかった場合は、処理をステップＳ８０７に戻し、再度対象商品のバーコードを検知し、取得しなおす。
【０２００】
ステップＳ８１３では、バーコード解析処理を実施し、ＪＡＮコードを取得する。取得したＪＡＮコードにより特定される商品をＪＡＮコードテーブルから検索し、当該商品の商品名を取得する。
そして、本フローチャートの処理を終了する。
【０２０１】
ステップＳ８０４では、商品選択画面を実施する。商品選択画面には、商品テーブル（図１６）から取得した１ページ分の商品コード、商品名が表示される（ステップＳ８０６、Ｓ８０８）。
【０２０２】
ステップＳ８１０では、戻るボタンが押下されたか否かを判断する。
【０２０３】
戻るボタンが押下された場合は、本フローチャートに示す処理を終了する。
【０２０４】
戻るボタンが押下されない場合は、処理をステップＳ８１２に移行する。
【０２０５】
ステップＳ８１２では、次へボタンが押下されたか否かを判断する。次へボタンが押下された場合は処理をステップＳ８１４に移行する。
【０２０６】
ステップＳ８１４では、商品テーブル（図１６）から次の１ページ分の商品コード、商品名を取得し、商品選択画面に表示する。
【０２０７】
次へボタンが押下されなかった場合は、処理をステップＳ８１５へ移行し、前へボタンが押下された否かを判断する。
【０２０８】
前へボタンが押下された場合は、処理をステップＳ８１６へ移行し、商品テーブル（図１６）より前の１ページ分の商品コード、商品名を取得し、商品選択画面に表示する。
【０２０９】
ステップＳ８１７では、ユーザから商品選択画面に表示された商品の選択を受け付け、当該選択された商品の商品コード、商品名を保持し、営業所セットＰＯＰ印刷画面（図１４）を表示する。
そして、本フローチャートの処理を終了する。
【０２１０】
次に、図１１を用いて、本発明の実施形態において携帯端末１０１が行うＰＯＰ画像送信処理（ステップＳ２０８に示す処理）について説明する。なお、図１１のフローチャートで示す処理については、携帯端末１０１のＣＰＵ２０１が所定の制御プログラムを読み出して実行する処理である。
【０２１１】
ステップＳ９０１では、メニュー画面（図１３）からＰＯＰ画像送信ボタンが押下されることで、ＰＯＰ画像送信画面（図１５）を表示する。
【０２１２】
そして、ＰＯＰ画像テーブル（図２３）を読み込み、１ページ分の画像Ｎｏ．、画像ファイル名、ＪＡＮコード、商品コード、送信済フラグを取得し、画像ファイル名（１３０２）、送信済フラグ（１３０３）を表示する（ステップＳ９０２）。
【０２１３】
ステップＳ９０３では、ＰＯＰ画像送信画面の一覧（１３０２、１３０３）より、送信したい画像ファイルの選択を受け付け、選択された行を反転表示する（ステップＳ９０４）。複数画像の選択を受け付けるように構成しても良い。また、一度選択された商品画像が再度選択された場合には、選択を解除し、反転表示を戻すように構成してもよい。
【０２１４】
画面表示後、戻るボタン（１３０４）が押下されたか判断する（ステップＳ９０５）。
【０２１５】
戻るボタン（１３０４）が押下された場合、処理を終了しメニュー画面（図１３）に戻る。
【０２１６】
戻るボタン（１３０４）が押下されなかった場合、終了ボタン（１３０７）が押下されたか判断する（ステップＳ９０６）。
【０２１７】
終了ボタン（１３０７）が押下された場合、処理を終了する。
【０２１８】
終了ボタン（１３０７）が押下されなかった場合、次へボタン（１３０６）が押下されたか判断する（ステップＳ９０７）。
【０２１９】
次へボタン（１３０６）が押下された場合、ＰＯＰ画像テーブル（図２３）を読み込み、次の１ページ分の画像Ｎｏ．、画像ファイル名、ＪＡＮコード、商品コード、送信済フラグを取得し、画像ファイル名（１３０２）、送信済フラグ（１３０３）を表示する（ステップＳ９０８、ステップＳ９０２）。
【０２２０】
次へボタン（１３０６）が押下されなかった場合、前へボタン（１３０５）が押下されたか判断する（ステップＳ９０９）。
【０２２１】
前へボタン（１３０５）が押下された場合、ＰＯＰ画像テーブル（図２３）を読み込み、前の１ページ分の画像Ｎｏ．、画像ファイル名、ＪＡＮコード、商品コード、送信済フラグを取得し、画像ファイル名（１３０２）、送信済フラグ（１３０３）を表示する（ステップＳ９１０、ステップＳ９０２）。
【０２２２】
前へボタン（１３０５）が押下されなかった場合（画像ファイル名が選択（タッチ）され、送信ボタンが押下された場合）、「この画像をサーバに送信しますか？」のメッセージを表示する（ステップＳ９１２）。
送信しない場合、再度、ＰＯＰ画像送信画面を表示する。
【０２２３】
送信する場合、画像送信画面の一覧（１３０２、１３０３）より選択された商品のＪＡＮコード、及び、商品コードをキーとし、画像データの保存先（画像形成装置）を商品テーブル（図１６）、もしくは、ＪＡＮコードテーブル（図１７）より取得する（ステップＳ９１４）。
【０２２４】
ステップＳ９１５では、携帯端末１０１より無線ＬＡＮ等を介して商品テーブル（図１６）、もしくは、ＪＡＮコードテーブル（図１７）より取得した画像保存先に画像データを保存する。
【０２２５】
画像データの送信結果（保存結果）を確認し、正常に保存できた場合、ＰＯＰ画像テーブル（図２３）の該当のレコードの送信済フラグに対し１（送信済）を設定する（ステップＳ９１６）。
【０２２６】
そして、「送信が完了しました」のメッセージを表示し、「はい」が押下されると、ＰＯＰ画像テーブル（図２３）の再読み込みを実施し、ＰＯＰ画像送信画面を再表示、反転されていた行を元に戻す（ステップＳ９１７、ステップＳ９１８、ステップＳ９１９、ステップＳ９０２）。
【０２２７】
次に、図１２を用いて、本発明の実施形態において画像形成装置が行う印刷処理について説明する。
【０２２８】
なお、図１２のフローチャートで示す処理については、画像形成装置のＣＰＵ２０１が所定の制御プログラムを読み出して実行する処理である。
【０２２９】
また、図１２に示す処理は、画像形成装置にて電源ＯＮ時に起動される。そして、複合機の電源がＯＦＦになるまで、定期的に下記の処理を繰り返す（ステップＳ１００１）。
【０２３０】
画像形成装置が待ち受け状態のとき、定期的に受信フォルダを確認し、印刷データファイルを受信したか否かの確認を繰り返す。印刷データファイルが受信できたらステップＳ１００４の処理へ移る。また、手動印刷処理を実施する場合についてもステップＳ１００４の処理へ移る。
【０２３１】
ステップＳ１００４では、画像形成装置は、印刷データファイルを受信したか否か（自動印刷か手動印刷か）を判断する。
【０２３２】
印刷データファイルを受信していない（手動印刷である）場合、ステップＳ１０１０以降の処理（手動印刷処理）を実施する。
【０２３３】
印刷データファイルを受信した場合は、処理をステップＳ１００５に移行する。
【０２３４】
ステップＳ１００５では、受信した印刷データファイル（図１９）より、標準ＰＯＰＩＤ（ＰＯＰフォーマット）、コメント、価格、画像ファイル名、自動印刷フラグを読み込み、ＰＯＰを生成する。
【０２３５】
ステップＳ１００６では、自動印刷フラグに従い、自動印刷か手動印刷かを判断する。
【０２３６】
自動印刷であった場合は、処理をステップＳ１００８に移行し、印刷を実行する。
【０２３７】
自動印刷ではない（手動印刷である）場合は、処理をステップＳ１００７に移行し、当該データを印刷スプールに保存する。
【０２３８】
ステップＳ１００９では、ステップＳ１００７で印刷スプールに保存したデータについて、直ちに印刷するか否かを判断する。
【０２３９】
直ちに印刷する場合は、処理をステップＳ１０１０に移行する。
【０２４０】
直ちに印刷をしない場合は、処理をステップＳ１００１に戻し、本フローチャートの処理を繰り返す。
【０２４１】
ステップＳ１０１０では、印刷スプールに印刷データが存在するか確認する。
【０２４２】
印刷スプールに印刷データが存在しない場合は、画像形成装置は待ち受け状態に戻り、再度印刷データを受信したか否かを確認する。
【０２４３】
印刷スプールに印刷データが存在した場合、画像形成装置は、印刷スプール画面を表示する。
【０２４４】
ステップＳ１０１２では、ユーザから印刷したいデータの選択を受け付ける。
【０２４５】
ステップＳ１０１３では、ユーザからスタートボタンの押下を受け付ける。
【０２４６】
ステップＳ１０１４では、ステップＳ１０１２で選択された印刷データの印刷を実行する。
【０２４７】
以上説明したように、本実施形態によれば、情報携帯端末１０１でのＰＯＰ画像の撮影、情報携帯端末１０１からＰＯＰ情報（コメント、価格、画像）の変更、また、情報携帯端末１０１から画像形成装置を経由しＰＯＰを印刷することができる。さらに、営業店独自のＰＯＰ作成、印刷、セット商品のＰＯＰ作成、印刷を実現することができる。
【０２４８】
なお、上述した各種データの構成及びその内容はこれに限定されるものではなく、用途や目的に応じて、様々な構成や内容で構成されることは言うまでもない。
【０２４９】
また、本発明におけるプログラムは、図４〜図１５の処理方法をコンピュータが実行可能なプログラムである。なお、本発明におけるプログラムは図４〜図１５の各装置の処理方法ごとのプログラムであってもよい。
【０２５０】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【０２５１】
この場合、記録媒体から読み出されたプログラム自体が本発明の新規な機能を実現することになり、そのプログラムを記録した記録媒体は本発明を構成することになる。
【０２５２】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【０２５３】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０２５４】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０２５５】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０２５６】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０２５７】
１０１  携帯端末
１０２  画像形成装置
１０３  ネットワーク
【図１】
2013085083.tif 000003
【図２】
2013085083.tif 000004
【図３】
2013085083.tif 000005
【図４】
2013085083.tif 000006
【図５】
2013085083.tif 000007
【図６】
2013085083.tif 000008
【図７】
2013085083.tif 000009
【図８】
2013085083.tif 000010
【図９】
2013085083.tif 000011
【図１０】
2013085083.tif 000012
【図１１】
2013085083.tif 000013
【図１２】
2013085083.tif 000014
【図１３】
2013085083.tif 000015
【図１４】
2013085083.tif 000016
【図１５】
2013085083.tif 000017
【図１６】
2013085083.tif 000018
【図１７】
2013085083.tif 000019
【図１８】
2013085083.tif 000020
【図１９】
2013085083.tif 000021
【図２０】
2013085083.tif 000022
【図２１】
2013085083.tif 000023
【図２２】
2013085083.tif 000024
【図２３】
2013085083.tif 000025
【図２４】
2013085083.tif 000026
【図２５】
2013085083.tif 000027
【図２６】
2013085083.tif 000028